(57)【要約】【課題】保守性がよく、信頼性の高い無線通信システム、管理装置、中継装置、管理装置のデータ処理方法、および監視方法を提供する。【解決手段】無線通信システムにおいて、管理サーバ１００は、無線通信端末のネットワーク３への無線通信を中継する複数のアクセスポイントを管理する管理サーバ１００であって、複数のアクセスポイントの相互の電波状態を監視する信号受信部１１０と、監視される相互の電波状態の変化を検出し、変化が検出された相互のアクセスポイントの位置関係が変動したと判断する判定部１３０と、位置関係が変動したと判断された相互のアクセスポイントを報知する報知部１３２と、を備える。【選択図】図２
2010028728.tif 000002
【特許請求の範囲】
【請求項１】
無線通信端末のネットワークへの無線通信を中継する複数の中継装置と、
前記ネットワーク上の複数の前記中継装置を管理する管理装置と、を備え、
複数の前記中継装置の相互の電波状態を監視する監視手段と、
監視される相互の前記電波状態の変化を検出し、前記変化が検出された相互の前記中継装置の位置関係が変動したと判断する判断手段と、
前記位置関係が変動したと判断された相互の前記中継装置を報知する報知手段と、を有する無線通信システム。
【請求項２】
請求項１に記載の無線通信システムにおいて、
前記判断手段が使用する所定の判断基準を記憶する基準記憶手段を備え、
前記監視手段は、複数の前記中継装置における相互の受信信号レベルを監視し、
前記判断手段は、監視される前記受信信号レベルの変化が前記判断基準の範囲外である中継装置を検出し、互いに前記判断基準の範囲外であると検出された相互の前記中継装置について、相互の前記中継装置の前記位置関係が変動したと判断し、相互の前記中継装置の一方のみが前記判断基準の範囲外であると検出された相互の前記中継装置については、相互の前記中継装置の前記位置関係は変動していないと判断する無線通信システム。
【請求項３】
請求項２に記載の無線通信システムにおいて、
前記監視手段により監視された複数の前記中継装置の相互の前記受信信号レベルの履歴を記憶する履歴記憶手段と、
前記履歴記憶手段に記憶された前記履歴を参照し、過去の相互の前記中継装置の前記受信信号レベルの変動に基づいて前記判断基準を算出し、前記基準記憶手段に記憶する算出手段と、を備える無線通信システム。
【請求項４】
請求項３に記載の無線通信システムにおいて、
所定の条件ごとに複数の前記判断基準を予め記憶する条件別基準記憶手段と、
前記条件別基準記憶手段に記憶された前記複数の判断基準の中から、条件に従って前記判断基準を自動的に選択する選択手段と、をさらに備え、
前記判断手段は、選択された前記判断基準を用いて前記位置関係の変動を判断する無線通信システム。
【請求項５】
請求項２乃至４いずれかに記載の無線通信システムにおいて、
所定の条件で、前記受信信号レベルの監視を停止するよう前記監視手段を制御する制御手段をさらに備える無線通信システム。
【請求項６】
請求項３に記載の無線通信システムにおいて、
前記履歴記憶手段に記憶された前記履歴を参照し、複数の前記中継装置の相互の前記受信信号レベルの所定期間にわたる移動平均値をそれぞれ算出する移動平均算出手段を備え、
前記判断手段は、算出された相互の前記受信信号レベルの前記移動平均値に基づいて、前記相互の前記電波状態の変化を検出する無線通信システム。
【請求項７】
無線通信端末のネットワークへの無線通信を中継する複数の中継装置を管理する管理装置であって、
複数の前記中継装置の相互の電波状態を監視する監視手段と、
監視される相互の前記電波状態の変化を検出し、前記変化が検出された相互の前記中継装置の位置関係が変動したと判断する判断手段と、
前記位置関係が変動したと判断された相互の前記中継装置を報知する報知手段と、を備える管理装置。
【請求項８】
請求項７に記載の管理装置において、
前記判断手段が使用する所定の判断基準を記憶する基準記憶手段を備え、
前記監視手段は、複数の前記中継装置における相互の受信信号レベルを監視し、
前記判断手段は、監視される前記受信信号レベルの変化が前記判断基準の範囲外である中継装置を検出し、互いに前記判断基準の範囲外であると検出された相互の前記中継装置について、相互の前記中継装置の前記位置関係が変動したと判断し、相互の前記中継装置の一方のみが前記判断基準の範囲外であると検出された相互の前記中継装置については、相互の前記中継装置の前記位置関係は変動していないと判断する管理装置。
【請求項９】
請求項８に記載の管理装置において、
前記監視手段により監視される複数の前記中継装置の相互の前記受信信号レベルの履歴を記憶する履歴記憶手段と、
前記履歴記憶手段に記憶された前記履歴を参照し、過去の相互の前記中継装置の前記受信信号レベルの変動に基づいて前記判断基準を算出し、前記基準記憶手段に記憶する算出手段と、を備える管理装置。
【請求項１０】
請求項９に記載の管理装置において、
所定の条件ごとに複数の前記判断基準を予め記憶する条件別基準記憶手段と、
前記条件別基準記憶手段に記憶された前記複数の判断基準の中から、条件に従って前記判断基準を自動的に選択する選択手段と、をさらに備え、
前記判断手段は、選択された前記判断基準を用いて前記位置関係の変動を判断する管理装置。
【請求項１１】
請求項８乃至１０いずれかに記載の管理装置において、
所定の条件で、前記受信信号レベルの監視を停止するよう前記監視手段を制御する制御手段を備える管理装置。
【請求項１２】
請求項９に記載の管理装置において、
前記履歴記憶手段に記憶された前記履歴を参照し、前記複数の中継装置の相互の前記受信信号レベルの所定期間にわたる移動平均値をそれぞれ算出する移動平均算出手段を備え、
前記判断手段は、算出された相互の前記受信信号レベルの前記移動平均値に基づいて、前記相互の前記電波状態の変化を検出する管理装置。
【請求項１３】
無線通信端末のネットワークへの無線通信を中継する中継装置であって、
前記ネットワーク上の複数の他の中継装置との電波状態を取得する取得手段と、
取得した相互の前記電波状態を前記ネットワークの管理装置に送信する送信手段と、を備える中継装置。
【請求項１４】
請求項１３に記載の中継装置において、
前記取得手段により複数の前記他の中継装置から取得された前記電波状態の履歴を記憶する履歴記憶手段と、
前記電波状態の履歴に基づいて、相互の前記電波状態の変化の傾向を求める手段と、を備え、
前記送信手段は、得られた相互の前記電波状態の変化の傾向を前記管理装置に送信する中継装置。
【請求項１５】
請求項１４に記載の中継装置において、
前記相互の前記電波状態の変化の傾向を求める手段は、前記履歴記憶手段に記憶された前記履歴を参照し、複数の前記他の中継装置の前記受信信号レベルの所定期間にわたる移動平均値をそれぞれ算出する中継装置。
【請求項１６】
無線通信端末のネットワークへの無線通信を中継する複数の中継装置を管理する管理装置のデータ処理方法であって、
前記管理装置が、
複数の前記中継装置の相互の電波状態を監視し、
監視される相互の前記電波状態の変化を検出し、前記変化が検出された相互の前記中継装置の位置関係が変動したと判断し、
前記位置関係が変動したと判断された相互の前記中継装置を報知する管理装置のデータ処理方法。
【請求項１７】
請求項１６に記載の管理装置のデータ処理方法において、
前記管理装置が、所定の判断基準を記憶する基準記憶装置を備え、
前記管理装置が、
複数の前記中継装置における相互の受信信号レベルを監視し、
監視される前記受信信号レベルの変化が前記判断基準の範囲外である中継装置を検出し、互いに前記判断基準の範囲外であると検出された相互の前記中継装置について、相互の前記中継装置の前記位置関係が変動したと判断し、相互の前記中継装置の一方のみが前記判断基準の範囲外であると検出された相互の前記中継装置については、相互の前記中継装置の前記位置関係は変動していないと判断する管理装置のデータ処理方法。
【請求項１８】
請求項１７に記載の管理装置のデータ処理方法において、
前記管理装置が、監視された複数の前記中継装置の相互の前記受信信号レベルの履歴を記憶する履歴記憶装置を備え、
前記管理装置が、前記履歴記憶装置に記憶された前記履歴を参照し、過去の相互の前記中継装置の前記受信信号レベルの変動に基づいて前記判断基準を算出し、前記基準記憶装置に記憶する管理装置のデータ処理方法。
【請求項１９】
請求項１８に記載の管理装置のデータ処理方法において、
前記管理装置が、所定の条件ごとに複数の前記判断基準を予め記憶する条件別基準記憶装置を有し、
前記管理装置が、前記条件別基準記憶装置に記憶された前記複数の判断基準の中から、条件に従って前記判断基準を自動的に選択し、選択された前記判断基準を用いて前記位置関係の変動を判断する管理装置のデータ処理方法。
【請求項２０】
請求項１７乃至１９いずれかに記載の管理装置のデータ処理方法において、
前記管理装置が、所定の条件で、前記受信信号レベルの変動の監視を停止するよう制御する管理装置のデータ処理方法。
【請求項２１】
請求項１８に記載の管理装置のデータ処理方法において、
前記管理装置が、
前記履歴記憶装置に記憶された前記履歴を参照し、前記複数の中継装置の相互の前記受信信号レベルの所定期間にわたる移動平均値をそれぞれ算出し、
算出された相互の前記受信信号レベルの前記移動平均値に基づいて、前記相互の前記電波状態の変化を検出する管理装置のデータ処理方法。
【請求項２２】
無線通信端末のネットワークへの無線通信を中継する複数の中継装置が、相互の電波状態を監視し、
監視される相互の前記電波状態の変化を検出し、前記変化が検出された相互の前記中継装置の位置関係が変動したと判断し、
前記位置関係が変動したと判断された相互の前記中継装置を報知する監視方法。
【請求項２３】
コンピュータに、無線通信端末のネットワークへの無線通信を中継する複数の中継装置を管理する管理装置を実現させるためのコンピュータプログラムであって、
コンピュータを、
複数の前記中継装置の相互の電波状態を監視する監視手段と、
監視される相互の前記電波状態の変化を検出し、前記変化が検出された相互の前記中継装置の位置関係が変動したと判断する判断手段と、
前記位置関係が変動したと判断された相互の前記中継装置を報知する報知手段と、として機能させるためのコンピュータプログラム。
【請求項２４】
コンピュータに、無線通信端末のネットワークへの無線通信を中継する中継装置を実現させるためのコンピュータプログラムであって、
コンピュータを、
前記ネットワーク上の複数の他の中継装置との電波状態を取得する取得手段と、
取得した相互の前記電波状態を前記ネットワークの管理装置に送信する送信手段と、として機能させるためのコンピュータプログラム。
【発明の詳細な説明】
【技術分野】
【０００１】
本発明は、無線通信システム、管理装置、中継装置、管理装置のデータ処理方法、および監視方法に関し、特に、無線通信端末の無線通信を中継する複数の中継装置を有する無線通信システム、管理装置、中継装置、管理装置のデータ処理方法、および監視方法に関する。
【背景技術】
【０００２】
近年、電話や電子メール、遠隔会議などの様々なコミュニケーション手段を用いて、多様な端末同士を接続するユビキタスネットワークが実用化に向けて開発されている。無線ＬＡＮシステムは、場所を選ばない端末との接続や、接続点数に限定されない自由度の高い端末数の収容が可能であることから、ユビキタスネットワークの実用化には欠かせない技術である。
【０００３】
無線ＬＡＮシステムにおける相互の干渉を回避する無線ＬＡＮアクセスポイントの一例が特許文献１に記載されている。また、無線通信機能を有するセンサ装置の設置場所の自由度を向上して、環境に合わせた適切な制御を行える空調管理システムが特許文献２に記載されている。
【特許文献１】特開２００４−１８００３７号公報
【特許文献２】特開平６−２６５１９１号公報
【特許文献３】特開２０００−３２０６９号公報
【非特許文献１】総務省総合通信基盤局、“フェムトセル基地局の活用に向けた電波法及び電気通信事業法関係法令に関する取扱方針”、［online］、平成２０年４月１７日、総務省報道資料、インターネット＜URL：http://www.soumu.go.jp/s-news/2008/pdf/080417_2_bs1.pdf＞
【発明の開示】
【発明が解決しようとする課題】
【０００４】
ところで、たとえば、オフィスや作業現場のレイアウト変更や、人の移動など企業において日常的に発生する事柄が、電波伝搬環境やトラフィック状況といったシステム条件を変化させ、無線ＬＡＮなどの無線通信システムの通信性能に影響を与える。また、無線ＬＡＮアクセスポイントなどの中継装置の小型化が進み、中継装置自身を容易に移動することもできる。このため、無線ＬＡＮは、運用とともにシステム条件が変化し続ける可能性が高く、変化に伴い、無線通信の通信品質を確保できなくなってしまったり、通信効率にばらつきが生じたりする可能性もある。
【０００５】
中継装置の移動、レイアウト変更に伴う電波伝搬環境の変化は、電波伝搬の視点で捉えれば、中継装置の位置関係の変化と捉えることができる。中継装置の移動では、中継装置間の物理的な距離に依存する電波伝搬損失の変化が生じる。また、レイアウト変更のような電波伝搬環境の変化は、中継装置の物理的な移動は伴わないものの、中継局間での受信信号レベルの変化が発生し、等価的に中継装置間の位置関係が変化したことと同値である。
【０００６】
このように、無線ＬＡＮなどの無線通信システムでは、常に変化し続ける様々なシステム条件に対応しながら、通信品質を最適な状態に維持できる接続性を維持できるように管理されることが望まれる。また、中継装置が人為的に移動されてしまったような場合には、保守点検時に探し出すのに手間取り、対応が遅れてしまうため、移動が生じた時点での通知が望まれる。例えば、多数の中継装置を遠隔監視するような場合には、監視する場所と中継装置の設置場所が離れているような場合には、位置関係の変化を迅速に把握できないという問題点があった。
【０００７】
また、近年、所謂フェムトセル基地局と呼ばれる携帯電話等の小型無線基地局が実用化に向けて開発されている。この小型無線基地局は、たとえば、個人ユーザが装置を購入して、予め届け出た所在地における屋内において、自由に設置して無線基地局を開設できるようにする方針で検討が進められている（非特許文献１）。これにより、従来電波が届かなかったような地下でも、小型無線基地局を利用することで携帯電話の利用が可能になる。
【０００８】
１１０番などの緊急通報を無線通信端末から行う場合には、その緊急通報の発信場所が明確になるように、無線通信端末が位置登録された基地局の場所を特定させるために、小型無線基地局は、使用前に携帯電話キャリアに設置場所の住所を登録手続きする必要が生じると考えられる。しかしながら、小型無線基地局を個人ユーザが購入して設置した場合、将来的に転居をしたときに、住所変更の届け出が確実には行われない場合が想定されるといった問題点がある。このため、基地局の移動を検知できることが望まれる。
【０００９】
本発明の目的は、上述した課題を解決する無線通信システム、管理装置、中継装置、管理装置のデータ処理方法、および監視方法を提供することにある。
【課題を解決するための手段】
【００１０】
本発明の無線通信システムは、無線通信端末（携帯電話機、無線ＬＡＮ端末、ＰＣ、ゲーム機等）のネットワークへの無線通信を中継する複数の中継装置（基地局、アクセスポイント）と、
前記ネットワーク上の複数の前記中継装置を管理する管理装置と、を備え、
複数の前記中継装置の相互の電波状態を監視する監視手段と、
監視される相互の前記電波状態の変化を検出し、前記変化が検出された相互の前記中継装置の位置関係が変動したと判断する判断手段と、
前記位置関係が変動したと判断された相互の前記中継装置を報知する報知手段と、を有する。
【００１１】
本発明の管理装置は、無線通信端末のネットワークへの無線通信を中継する複数の中継装置を管理する管理装置であって、
複数の前記中継装置の相互の電波状態を監視する監視手段と、
監視される相互の前記電波状態の変化を検出し、前記変化が検出された相互の前記中継装置の位置関係が変動したと判断する判断手段と、
前記位置関係が変動したと判断された相互の前記中継装置を報知する報知手段と、を備える。
【００１２】
本発明の中継装置は、無線通信端末のネットワークへの無線通信を中継する中継装置であって、
前記ネットワーク上の複数の他の中継装置との電波状態を取得する取得手段と、
取得した相互の前記電波状態を前記ネットワークの管理装置に送信する送信手段と、を備える。
【００１３】
本発明の管理装置のデータ処理方法は、無線通信端末のネットワークへの無線通信を中継する複数の中継装置を管理する管理装置のデータ処理方法であって、
前記管理装置が、
複数の前記中継装置の相互の電波状態を監視し、
監視される相互の前記電波状態の変化を検出し、前記変化が検出された相互の前記中継装置の位置関係が変動したと判断し、
前記位置関係が変動したと判断された相互の前記中継装置を報知する。
【００１４】
本発明の監視方法は、無線通信端末のネットワークへの無線通信を中継する複数の中継装置が、相互の電波状態を監視し、
監視される相互の前記電波状態の変化を検出し、前記変化が検出された相互の前記中継装置の位置関係が変動したと判断し、
前記位置関係が変動したと判断された相互の前記中継装置を報知する。
【００１５】
本発明の第一のコンピュータプログラムは、コンピュータに、無線通信端末のネットワークへの無線通信を中継する複数の中継装置を管理する管理装置を実現させるためのコンピュータプログラムであって、
コンピュータを、
複数の前記中継装置の相互の電波状態を監視する監視手段と、
監視される相互の前記電波状態の変化を検出し、前記変化が検出された相互の前記中継装置の位置関係が変動したと判断する判断手段と、
前記位置関係が変動したと判断された相互の前記中継装置を報知する報知手段と、として機能させるためのコンピュータプログラム。
【００１６】
本発明の第二のコンピュータプログラムは、コンピュータに、無線通信端末のネットワークへの無線通信を中継する中継装置を実現させるためのコンピュータプログラムであって、
コンピュータを、
前記ネットワーク上の複数の他の中継装置との電波状態を取得する取得手段と、
取得した相互の前記電波状態を前記ネットワークの管理装置に送信する送信手段と、として機能させるためのコンピュータプログラム。
【００１７】
なお、以上の構成要素の任意の組合せ、本発明の表現を方法、装置、システム、記録媒体、コンピュータプログラムなどの間で変換したものもまた、本発明の態様として有効である。
【００１８】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１９】
また、本発明のデータ処理方法およびコンピュータプログラムには複数の手順を順番に記載してあるが、その記載の順番は複数の手順を実行する順番を限定するものではない。このため、本発明のデータ処理方法およびコンピュータプログラムを実施するときには、その複数の手順の順番は内容的に支障しない範囲で変更することができる。
【００２０】
さらに、本発明のデータ処理方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【発明の効果】
【００２１】
本発明によれば、保守性がよく、信頼性の高い無線通信システム、管理装置、中継装置、管理装置のデータ処理方法、および監視方法が提供される。
【発明を実施するための最良の形態】
【００２２】
（第一の実施の形態）
以下、本発明の実施の形態について、図面を用いて説明する。尚、すべての図面において、同様な構成要素には同様の符号を付し、適宜説明を省略する。
【００２３】
図１は、本発明の実施の形態に係る無線通信システム１の構成を示すブロック図である。本実施形態の無線通信システム１は、無線通信端末（不図示）のネットワーク３への無線通信を中継する複数の中継装置（アクセスポイント２００）と、ネットワーク３上の複数のアクセスポイント２００を管理する管理装置（管理サーバ１００）と、を備える。
【００２４】
本実施形態の無線通信システム１におけるネットワークの監視方法は、無線通信端末のネットワーク３への無線通信を中継する複数のアクセスポイント２００が、相互の電波状態を監視し、監視される相互の電波状態の変化を検出し、変化が検出された相互のアクセスポイント２００の位置関係が変動したと判断し、位置関係が変動したと判断された相互のアクセスポイント２００を、たとえば、ネットワーク３の管理者に報知する。
【００２５】
ここで、相互の電波状態とは、たとえば、相手のアクセスポイント２００から受信した電波のレベルや遅延歪みなどを含むことができる。遅延歪みは、反射などで電波伝搬経路が異なり、到達時間差が生じる電波が合成されて受信されて生じる歪である。この歪の推定値は、例えば、特許文献３に示されるように、既知のプリアンブル信号と実際の受信信号の相互相関から推定される通信路インパルスレスポンスから求めることができる。本実施形態では、受信電波レベルなどの受信信号レベルにより電波状態の変化を検出する場合について説明する。
【００２６】
詳細には、無線通信システム１は、複数のアクセスポイント２００（図中、「ＡＰ１」、「ＡＰ２」、「ＡＰ３」と示される。）と、管理サーバ１００と、記憶装置１０２と、管理端末１０４と、を備える。
【００２７】
なお、以下の各図において、本発明の本質に関わらない部分の構成については省略してあり、図示されていない。
また、無線通信システム１の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そして、その実現方法、装置にはいろいろな変形例があることは、当業者には理解されるところである。以下説明する各図は、ハードウェア単位の構成ではなく、機能単位のブロックを示している。
【００２８】
本発明において、無線通信端末は、たとえば、携帯電話機、ＰＨＳ（Personal Handyphone System）、無線ＬＡＮ（Local Area Network）端末、ＰＣ（Personal Computer）、ＰＤＡ（Personal Digital Assistant）、インターネットに接続可能なテレビ受像機やゲーム機等であり、無線通信を行い、各種のネットワークに接続可能な端末であれば、特に限定されない。ネットワークは、たとえば、ＬＡＮ、ＷＡＮ（Wide Area Network）、インターネット、携帯通信網などである。本発明の無線通信端末は、利用エリアの中継装置、たとえば、無線ＬＡＮアクセスポイントや携帯電話の基地局など、と無線通信し、中継装置を経由してネットワークに接続することができる。
【００２９】
本発明の中継装置は、各種無線通信端末が接続する各種のネットワークにそれぞれ対応した中継装置とすることができる。たとえば、無線通信端末が無線ＬＡＮ端末であり無線ＬＡＮに接続する場合、中継装置は無線ＬＡＮアクセスポイントであり、無線通信端末が携帯電話機であり携帯通信網に接続する場合、中継装置は移動可能な小型無線基地局、たとえば、所謂フェムトセル基地局や屋外設置の基地局とすることができる。
【００３０】
本実施形態において、アクセスポイント２００は、無線通信端末のネットワーク３への無線通信を中継する中継装置であって、ネットワーク３上の複数の他のアクセスポイント２００との電波状態を取得する取得部（不図示）と、取得した相互の電波状態をネットワーク３の管理サーバ１００に送信する送信部（不図示）と、を備える。
【００３１】
本実施形態のアクセスポイント２００は、メモリ（不図示）に実装されているコンピュータプログラムに対応して各種の処理動作を制御部（不図示）で実行することにより、前述のような各種ユニットが各種機能として実現される。
【００３２】
本実施形態のコンピュータプログラムは、コンピュータ（不図示）に、無線通信端末のネットワーク３への無線通信を中継するアクセスポイント２００を実現させるためのコンピュータプログラムであって、コンピュータを、ネットワーク３上の複数の他のアクセスポイント２００との電波状態を取得する取得手段と、取得した相互の電波状態をネットワーク３の管理サーバ１００に送信する送信手段と、として機能させるように記述されている。
【００３３】
管理サーバ１００は、サーバコンピュータであり、図示されない制御部、記憶部、表示部、操作部、通信部、音声入出力部、および印字出力部等を有する。記憶装置１０２は、管理サーバ１００に接続される。管理サーバ１００が、記憶装置１０２に各種のデータを記憶するとともに、記憶されたデータにアクセスして動作する。後述する管理サーバ１００の各種の記憶部は、記憶装置１０２に含むことができる。
【００３４】
管理端末１０４は、特に限定されないが、たとえば、ＰＣであり、ネットワーク３の管理者などのユーザが利用するユーザ端末である。管理端末１０４は、図示されない制御部、記憶部、表示部、操作部、通信部、音声入出力部、および印字出力部等を有する。後述する管理サーバ１００における判断基準などの各種の設定は、管理端末１０４を用いてシステム管理者などのユーザが変更操作することができる。
【００３５】
図２は、図１の無線通信システム１の管理サーバ１００の構成を示す機能ブロック図である。
本実施形態の管理サーバ１００は、複数のアクセスポイント２００の相互の電波状態を監視する監視部（信号受信部１１０、受信データ分配部１１２）と、監視される相互の電波状態の変化を検出し、変化が検出された相互のアクセスポイント２００の位置関係が変動したと判断する判断部（アクセスポイントデータ処理部１２０、判定部１３０）と、位置関係が変動したと判断された相互のアクセスポイント２００を報知する報知部１３２と、を有する。
【００３６】
ここで、相互のアクセスポイント２００の位置関係の変動とは、たとえば、アクセスポイント２００の設置場所の移動や、アクセスポイント２００が設置されている場所におけるパーティションの設置等によるレイアウトの変更などによるものである。
【００３７】
具体的には、管理サーバ１００は、信号受信部１１０と、受信データ分配部１１２と、複数のアクセスポイントデータ処理部１２０（図ではアクセスポイント２００（ＡＰ１）用の「ＡＰ１データ処理部」、アクセスポイント２００（ＡＰ２）用の「ＡＰ２データ処理部」、およびアクセスポイント２００（ＡＰｎ）用の「ＡＰｎデータ処理部」と示される）と、判定部１３０と、報知部１３２と、を有する。
【００３８】
信号受信部１１０は、ネットワーク３上の複数のアクセスポイント２００から相互の電波状態を示す情報を受信する。本実施形態におい、各アクセスポイント２００から、相互の電波状態を示す情報として図３に示されるデータＤ１が送信される。図３では、アクセスポイント２００（ＡＰ１）から送信されたデータの構造の一例を示している。
【００３９】
このデータには、アクセスポイント２００（ＡＰ１）の識別情報であるＡＰ１ＩＤと、アクセスポイント２００（ＡＰ１）が受信した他のアクセスポイント２００（ＡＰ２〜ＡＰｎ）の識別情報と、各他のアクセスポイント２００の識別情報に関連付けられた受信信号レベルと、が含まれる。
【００４０】
図２に戻り、受信データ分配部１１２は、信号受信部１１０が受信した相互の受信信号レベルのデータＤ１（図３）を各アクセスポイント２００（ＡＰ１、ＡＰ２、・・・、ＡＰｎ）ごとに分けて、各アクセスポイント２００に対応するアクセスポイントデータ処理部１２０に分配する。
【００４１】
各アクセスポイントデータ処理部１２０は、各アクセスポイント２００の受信信号レベルに基づいて、位置関係の変動の判断に用いるデータを算出し、判定部１３０に出力する。各アクセスポイントデータ処理部１２０は、アクセスポイントデータ分配部（図ではアクセスポイント２００（ＡＰ１）用の「ＡＰ１データ分配部」と示される）１２２と、各他のアクセスポイント２００ごとのアクセスポイント受信レベル処理部（図ではアクセスポイント２００（ＡＰ２）用の「ＡＰ２受信レベル処理部」、アクセスポイント２００（ＡＰ３）用の「ＡＰ３受信レベル処理部」、およびアクセスポイント２００（ＡＰｎ）用の「ＡＰｎ受信レベル処理部」と示される）１２４と、アクセスポイント検出部（図ではアクセスポイント２００（ＡＰ１）用の「ＡＰ１検出部」と示される）１２６と、を有する。
【００４２】
アクセスポイントデータ分配部１２２は、他のアクセスポイント２００の受信信号レベルを各アクセスポイント２００ごとに振り分け、各他のアクセスポイント２００に対応するアクセスポイント受信レベル処理部１２４に分配する。
【００４３】
各アクセスポイント受信レベル処理部１２４は、各アクセスポイント２００の受信信号レベルに基づいて、位置関係の変動の判断に用いるデータを算出し、アクセスポイント検出部１２６に出力する。アクセスポイント受信レベル処理部１２４は、たとえば、判定部１３０が使用する所定の判断基準を記憶する基準記憶部（不図示）を有する。そして、アクセスポイント受信レベル処理部１２４は、監視される受信信号レベルの変化が判断基準の範囲外であるアクセスポイント２００を検出し、検出結果を報知部１３２に出力する。
【００４４】
ここで、所定の判断基準は、システムに最適な状態の場合の受信信号レベルの範囲、たとえば、通常時の受信信号レベル±αｄＢｍとすることができる。配置基準は、相互のアクセスポイント２００ごとに設定することもできるし、所定のグループごとに設定してもよいし、システムで統一させてもよく、システムごとに最適な方法で対応すればよい。
【００４５】
さらに、アクセスポイント受信レベル処理部１２４は、信号受信部１１０が受信した複数のアクセスポイント２００の相互の受信信号レベルの履歴を記憶する履歴記憶部（不図示）と、履歴記憶部に記憶された履歴を参照し、過去の相互のアクセスポイント２００の受信信号レベルの変動に基づいて判断基準を算出し、基準記憶部に記憶する算出部（不図示）と、を有する。
【００４６】
さらに、アクセスポイント受信レベル処理部１２４は、履歴記憶部に記憶された履歴を参照し、複数のアクセスポイント２００の相互の受信信号レベルの所定期間にわたる移動平均値をそれぞれ算出する移動平均算出部（不図示）を有する。
【００４７】
例として、アクセスポイント受信レベル処理部１２４は、互いに直列に接続される複数のシフトレジスタを有し、対象となるアクセスポイント２００からの受信信号レベルを複数のシフトレジスタに順に入力する。アクセスポイント受信レベル処理部１２４は、現在の受信信号レベルの平均値を算出する現データ演算部（不図示）と、過去の受信信号レベルの傾向、例として平均値（Ｍ個のデータ）および標準偏差（σ）を算出する過去データ演算部（不図示）と、を有する。
【００４８】
現データ演算部は、入力側からＭ個のシフトレジスタ群（たとえば、一時間分）の出力データから、現在の受信信号レベルの平均値（Ｍ個のデータの平均値）を算出する。過去データ演算部は、所定の期間、たとえば、過去１週間の所定の時間帯の受信信号レベルを出力するＭ個のシフトレジスタ群から入力して過去の受信信号レベル平均値（Ｍ個のデータの平均値）を算出するとともに、さらに、標準偏差を算出する。アクセスポイント受信レベル処理部１２４は、過去の受信信号レベルの平均値±２σを判断基準として設定し、基準記憶部に記憶する。
【００４９】
アクセスポイント検出部１２６は、各アクセスポイント受信レベル処理部１２４からの出力を統合して判定部１３０に出力する。本実施形態において、アクセスポイント検出部１２６は、算出された相互の受信信号レベルの移動平均値に基づいて、相互の電波状態の変化を検出する。
【００５０】
すなわち、アクセスポイント検出部１２６は、各他のアクセスポイント２００に対応したアクセスポイント受信レベル処理部１２４から算出された現データ演算部で算出された現在の受信信号レベルの平均値が設定された判断基準の範囲内か否かを判定し、判断基準の範囲外の他のアクセスポイント２００を検出する。
【００５１】
そして、判断基準の範囲内の場合、受信信号レベルに変化はないと判断し、当該他のアクセスポイント２００のフラグに０をセットする。判断基準の範囲外の場合、受信信号レベルが変化したと判断し、当該他のアクセスポイント２００のフラグに１をセットする。
【００５２】
判定部１３０は、互いに判断基準の範囲外であると検出された相互のアクセスポイント２００について、相互のアクセスポイント２００の位置関係が変動したと判断し、相互のアクセスポイント２００中継装置の一方のみが判断基準の範囲外であると検出された相互のアクセスポイント２００については、相互のアクセスポイント２００の位置関係は変動していないと判断する。
【００５３】
本実施形態では、判定部１３０は、相互のアクセスポイント２００のフラグの論理積を取り、結果が１の場合、位置関係が変動したと判断し、結果が０の場合、位置関係は変動していないと判断する。そして、判定部１３０は、位置関係が変動したと判断された相互のアクセスポイント２００の情報を報知部１３２に出力する。報知部１３２は、判定部１３０からの情報に基づいて相互の位置関係が変動したアクセスポイント２００を報知する。
【００５４】
報知部１３２は、様々な手段でネットワーク３の管理者にアクセスポイント２００の位置関係の変動を報知することができる。たとえば、報知部１３２は、管理サーバ１００や管理端末１０４のモニタ（不図示）などの表示部に報知メッセージや各アクセスポイント２００の状態リスト、設置フロア図面上に位置関係が変化したアクセスポイントのアイコン変化などを表示してもよいし、ＬＥＤ表示部（不図示）などを点灯または点滅させてもよい。あるいは、管理サーバ１００や管理端末１０４に接続された音声出力部（不図示）から報知メッセージの音声またはアラーム音を出力させてもよいし、プリンタ（不図示）などの印字出力部にメッセージや各アクセスポイント２００の状態リストなどを印字出力させてもよいし、所定のメールアドレスや端末（不図示）に報知メッセージや各アクセスポイント２００の状態を記述したメッセージを送信してもよい。
【００５５】
本実施の形態の管理サーバ１００は、メモリ（不図示）上に実装されているコンピュータプログラムに対応して各種の処理動作を実行することにより、前述のような各種ユニット１１０〜１３２が各種機能として実現されている。
【００５６】
本実施形態のコンピュータプログラムは、コンピュータ（不図示）に、無線通信端末のネットワーク３への無線通信を中継する複数のアクセスポイント２００を管理する管理サーバ１００を実現させるためのコンピュータプログラムであって、コンピュータを、複数のアクセスポイント２００の相互の電波状態を監視する監視手段（信号受信部１１０、受信データ分配部１１２）と、監視される相互の電波状態の変化を検出し、変化が検出された相互のアクセスポイント２００の位置関係が変動したと判断する判断手段（アクセスポイントデータ処理部１２０、判定部１３０）と、位置関係が変動したと判断された相互のアクセスポイント２００を報知する報知手段（報知部１３２）と、として機能させるように記述されている。
【００５７】
このように構成された本実施形態の無線通信システム１の動作について以下に説明する。図４は、本実施形態の無線通信システム１の管理サーバ１００の動作の一例を示すフローチャートである。以下、図１〜図６を用いて説明する。
【００５８】
本実施形態の管理装置（管理サーバ１００）のデータ処理方法は、無線通信端末のネットワーク３への無線通信を中継する複数のアクセスポイント２００を管理する管理サーバ１００のデータ処理方法であって、管理サーバ１００が、複数のアクセスポイント２００の相互の電波状態を監視し（ステップＳ１０１）、監視される相互の電波状態の変化を検出し（ステップＳ１０７）、変化が検出された相互のアクセスポイント２００の位置関係が変動したと判断し（ステップＳ１１３）、位置関係が変動したと判断された相互のアクセスポイント２００を報知する（ステップＳ１１５）。
【００５９】
具体的には、はじめに、管理サーバ１００において、信号受信部１１０が、ネットワーク３上の複数のアクセスポイント２００から相互の電波状態を示す情報を受信する。本実施形態では、各アクセスポイント２００からデータＤ１（図３）を受信する（ステップＳ１０１）。上述したように、データＤ１には、アクセスポイント２００（ＡＰ１）の識別情報であるＡＰ１ＩＤと、アクセスポイント２００（ＡＰ１）が受信した他のアクセスポイント２００（ＡＰ２〜ＡＰｎ）の識別情報と、各他のアクセスポイント２００の識別情報に関連付けられた受信信号レベルと、が含まれる。
【００６０】
受信データ分配部１１２が、信号受信部１１０が受信した相互の受信信号レベルのデータＤ１（図３）を各アクセスポイント２００（ＡＰ１、ＡＰ２、・・・、ＡＰｎ）ごとに分けて、各アクセスポイント２００に対応するアクセスポイントデータ処理部１２０に分配する（ステップＳ１０３）。
【００６１】
そして、各アクセスポイントデータ処理部１２０が、各アクセスポイント２００の受信信号レベルに基づいて、位置関係の変動の判断に用いるデータを算出し、判定部１３０に出力する（ステップＳ１０５）。詳細には、上述したように、各アクセスポイントデータ処理部１２０では、アクセスポイントデータ分配部１２２は、他のアクセスポイント２００の受信信号レベルを各アクセスポイント２００ごとに振り分け、各他のアクセスポイント２００に対応するアクセスポイント受信レベル処理部１２４に分配する。
【００６２】
各アクセスポイント受信レベル処理部１２４では、信号受信部１１０が受信した複数のアクセスポイント２００の相互の受信信号レベルの履歴を履歴記憶部に記憶する。さらに、たとえば、過去１週間の所定の時間帯の受信信号レベルの平均値（Ｍ個のデータの平均値）を算出するとともに、さらに、標準偏差を算出する。そして、過去の受信信号レベルの平均値±２σを判断基準として設定し、基準記憶部に記憶する。また、現在の受信信号レベルの平均値（Ｍ個のデータの平均値）を算出する。これらのデータがアクセスポイント検出部１２６に出力される。なお、過去の平均値を算出する時間帯と、現在の平均値を算出する時間帯は、同じ時間帯であるのが好ましく、すなわち、受信信号レベルに影響を与えると考えられる条件が同じとなることが好ましい。
【００６３】
そして、アクセスポイント検出部１２６が、各他のアクセスポイント２００に対応したアクセスポイント受信レベル処理部１２４から算出された現データ演算部で算出された現在の受信信号レベルの平均値が設定された判断基準の範囲内か否かを判定し、判断基準の範囲外のアクセスポイント２００を検出する（ステップＳ１０７）。判断基準の範囲内の場合（ステップＳ１０７のＹＥＳ）、当該他のアクセスポイント２００のフラグに０をセットし（ステップＳ１０９）、ステップＳ１１３に進む。判断基準の範囲外の場合（ステップＳ１０７のＮＯ）、当該他のアクセスポイント２００のフラグに１をセットし（ステップＳ１１１）、ステップＳ１１３に進む。
【００６４】
判定部１３０が、相互のアクセスポイント２００の受信信号レベルの変動の有無のフラグの論理積を求める（ステップＳ１１３）。相互のアクセスポイント２００のフラグが１の場合、すなわち、相互のアクセスポイント２００の受信信号レベルが双方とも判断基準の範囲外であると判定された場合、論理積は１となり（ステップＳ１１３のＹＥＳ）、範囲外であると判定された相互のアクセスポイント２００の位置関係が変動したと判断される。そして、ステップＳ１１５に進み、報知部１３２に位置関係が変動した相互のアクセスポイント２００を報知し、処理を終了する。一方、相互のアクセスポイント２００のフラグの少なくともいずれかが０の場合、すなわち、相互のアクセスポイント２００の受信信号レベルの一方でも判断基準内であると判定された場合、論理積は０となり（ステップＳ１１３のＮＯ）、ステップＳ１１５はバイパスして、処理を終了する。
【００６５】
たとえば、図５は、アクセスポイント検出部１２６によって検出された結果が一覧表で例示されているものとする。同図に示されるように、アクセスポイント２００（ＡＰ１）とアクセスポイント２００（ＡＰ２）は互いに「変化あり」であるので、アクセスポイント２００（ＡＰ１）とアクセスポイント２００（ＡＰ２）は、相互の位置関係に変動があったものと判断される。一方、アクセスポイント２００（ＡＰ１）のアクセスポイント２００（ＡＰｎ）について見てみると、アクセスポイント２００（ＡＰｎ）がアクセスポイント２００（ＡＰ１）から受信した受信信号レベルに変化はあるが、アクセスポイント２００（ＡＰ１）がアクセスポイント２００（ＡＰｎ）から受信した受信信号レベルに変化がない。このような場合、判定部１３０は、アクセスポイント２００（ＡＰ１）とアクセスポイント２００（ＡＰｎ）の位置関係に変動はないと判断する。
【００６６】
このように、相互に受信信号レベルに変化があった場合だけ、相互の位置関係に変動があったと判断され、一方でも受信信号レベルに変化がなかった場合には、何らかの原因により受信信号レベルの計測が間違っている可能性があると考え、相互の位置関係に変動はないと判断する。
【００６７】
たとえば、オフィスにおいて、図６（ａ）に示すように、３台のアクセスポイント２００（ＡＰ１、ＡＰ２、ＡＰ３）がネットワーク３上に接続されていた状態から、図６（ｂ）に示すように、オフィスのレイアウトの変更が行われ、パーティション５がアクセスポイント２００（ＡＰ１）とアクセスポイント２００（ＡＰ２）の間に設けられた場合、アクセスポイント２００（ＡＰ２）とアクセスポイント２００（ＡＰ３）の間の受信信号レベルに変化はないと考えられるが、パーティション５によって、アクセスポイント２００（ＡＰ１）とアクセスポイント２００（ＡＰ２）の間、並びに、アクセスポイント２００（ＡＰ１）とアクセスポイント２００（ＡＰ３）の間の受信信号レベルが減少すると考えられる。従って、相互のアクセスポイント２００の受信信号レベルを監視することで、相互のアクセスポイント２００の位置関係の変動を検出できることとなる。
【００６８】
たとえば、図６（ｂ）の場合、アクセスポイント２００（ＡＰ１）における過去の受信信号レベルの傾向が、アクセスポイント２００（ＡＰ２）およびアクセスポイント２００（ＡＰ３）で、それぞれ−７５±５ｄＢｍおよび−８５±６ｄＢｍ、アクセスポイント２００（ＡＰ２）における過去の受信信号レベルの傾向が、アクセスポイント２００（ＡＰ１）およびアクセスポイント２００（ＡＰ３）で、それぞれ−７５±５ｄＢｍおよび−７０±３ｄＢｍ、アクセスポイント２００（ＡＰ１）およびアクセスポイント２００（ＡＰ３）における過去の受信信号レベルの傾向が、アクセスポイント２００（ＡＰ１）およびアクセスポイント２００（ＡＰ２）で、それぞれ−８８±４ｄＢｍおよび−７２±２ｄＢｍであったとする。
【００６９】
そして、アクセスポイント２００（ＡＰ１）における現在の受信信号レベルが、アクセスポイント２００（ＡＰ２）およびアクセスポイント２００（ＡＰ３）で、それぞれ−８６ｄＢｍおよび−９６ｄＢｍ、アクセスポイント２００（ＡＰ２）における現在の受信信号レベルが、アクセスポイント２００（ＡＰ１）およびアクセスポイント２００（ＡＰ３）で、それぞれ−８５ｄＢｍおよび−６８ｄＢｍ、アクセスポイント２００（ＡＰ３）における現在の受信信号レベルが、アクセスポイント２００（ＡＰ１）およびアクセスポイント２００（ＡＰ２）で、それぞれ−９５ｄＢｍおよび−７１ｄＢｍであったとする。
【００７０】
上記の場合、アクセスポイント２００（ＡＰ１）とアクセスポイント２００（ＡＰ２）、並びに、アクセスポイント２００（ＡＰ１）とアクセスポイント２００（ＡＰ３）の相互の受信信号レベルの変動が判断基準、すなわち過去の受信信号レベルの傾向の範囲外であるため、アクセスポイント２００（ＡＰ１）とアクセスポイント２００（ＡＰ２）、並びに、アクセスポイント２００（ＡＰ１）とアクセスポイント２００（ＡＰ３）の相互の位置関係の変動が検出されることとなる。
【００７１】
以上、説明したように、本実施形態の無線通信システム１は、簡単な構成で低コストで実現可能であり、相互のアクセスポイント２００の位置関係の変動を検知して報知できるので、アクセスポイント２００の設置場所の移動や、アクセスポイント２００が設置されている現場のレイアウトの変更などにより、無線通信環境の変化が生じた場合などに迅速に対応可能となり、ネットワークの信頼性が向上する。
【００７２】
さらに、現場におけるアクセスポイント２００の設置場所の移動を、ネットワークの管理側で把握できるので、保守点検時などにアクセスポイント２００の設置場所が不明になってしまうといった事態を回避できる。
【００７３】
（第二の実施の形態）
図７は、本発明の実施の形態に係る無線通信システムの管理サーバの構成の一部を示す機能ブロック図である。
【００７４】
本実施形態の管理サーバは、上記実施形態とは、所定の条件に従って、判断基準を自動的に選択する点で相違する。本実施形態の管理サーバは、上記実施形態の管理サーバ１００の構成に加え、所定の条件ごとに複数の判断基準を予め記憶する条件別基準記憶部１７２と、条件別基準記憶部１７２に記憶された複数の判断基準の中から、条件に従って判断基準を自動的に選択する選択部１７４と、をさらに備え、判断部（図２のアクセスポイントデータ処理部１２０および判定部１３０）は、選択された判断基準を用いて位置関係の変動を判断する。
【００７５】
また、本実施形態において、所定の条件で、受信信号レベルの監視を停止するよう監視部を制御する制御部（処理制御部１８０）をさらに備えることができる。
【００７６】
具体的には、本実施形態の管理サーバは、時計１７０と、条件別基準記憶部１７２と、選択部１７４と、処理制御部１８０と、をさらに備える。
【００７７】
時計１７０は、現在の時刻を通知する。条件別基準記憶部１７２は、所定の条件、たとえば、所定の時間帯毎に複数の判断基準を予め記憶する。たとえば、通常の勤務時間帯である平日の日中、８時から２０時までを第１時刻条件とし、人が少なくなる平日の夜間、２０時から翌日の８時までを第２時刻条件とし、基本的に人がいない土日、祝日などの休日を第３時刻条件として、条件ごとに判断基準を変えて設定し、条件別基準記憶部１７２に記憶することができる。
【００７８】
電波伝搬環境は、人の動きや車の動きなど、周辺状況の影響も受けるため、周辺状況が似ている中で、相互のアクセスポイント２００の位置関係の変動を推定することで、推定精度が上がる。従って、上記のように、周辺状況を分類するために、時間帯などによって判断基準を変更して動作させることで、推定精度を向上させることができる。
【００７９】
なお、条件別基準記憶部１７２に記憶される条件および判断基準は、管理サーバ１００の操作部により、管理者が適宜変更することができるものとする。
【００８０】
本実施形態では、選択部１７４は、条件に従って、時計１７０から現在時刻を取得して、現在時刻から、判断基準を自動的に選択してアクセスポイントデータ処理部１２０（図２）に出力する。アクセスポイントデータ処理部１２０では、選択部１７４から取得した判断基準を用いて判断する。
【００８１】
処理制御部１８０は、所定の条件で、受信信号レベルの監視を停止するようアクセスポイントデータ処理部１２０を制御する。処理制御部１８０は、図２の信号受信部１１０、受信データ分配部１１２、判定部１３０、または報知部１３２の動作を停止させてもよい。本実施形態では、たとえば、日中のオフィス環境では、人の多い少ないで電波状態に影響が及ぶ可能性があるため、人がいない夜間にのみ、受信信号レベルを監視して、相互の位置関係の変動の検知を行うようにすることができる。
【００８２】
このように構成された本実施形態の無線通信システムによれば、条件に従って、自動的に判断基準を選択して位置関係の変動を最適な条件で推定することができるので、推定精度を向上することができ、信頼性が向上する。
【００８３】
以上、図面を参照して本発明の実施形態について述べたが、これらは本発明の例示であり、上記以外の様々な構成を採用することもできる。
【００８４】
たとえば、上記実施形態では、受信信号レベルの移動平均処理を管理サーバ１００のアクセスポイント受信レベル処理部１２４が行う構成としたが、他の実施形態において、取得部により複数の他のアクセスポイント２００から取得された電波状態の履歴を記憶する履歴記憶部（不図示）と、電波状態の履歴に基づいて、相互の電波状態の変化の傾向を求める算出部（不図示）と、を備えることができ、送信部は、得られた相互の電波状態の変化の傾向を管理サーバ１００に送信することができる。
【００８５】
また、他の実施形態において、相互の電波状態の変化の傾向を求める算出部は、履歴記憶部に記憶された履歴を参照し、複数の他のアクセスポイント２００の受信信号レベルの所定期間にわたる移動平均値をそれぞれ算出することができる。
【００８６】
また、上記実施形態では、時間帯によって予め判断基準を条件別記憶部１７２に記憶する構成について説明したが、他の実施形態において、電波状態を監視した結果に基づいて、アクセスポイント２００の電波状態の変化を検知するのに最適な時間帯や条件を自動的に設定する設定部（不図示）をさらに有することができる。すなわち、電波状態の変動が少ない時間帯や条件を自動的に求めて設定することができる。
【図面の簡単な説明】
【００８７】
【図１】本発明の実施の形態に係る無線通信システムの構成を示すブロック図である。
【図２】図１の無線通信システムの管理サーバの構成を示す機能ブロック図である。
【図３】図２の管理サーバがアクセスポイントから受信するデータの構造の一例を示す図である。
【図４】図１の無線通信システムの管理サーバの動作の一例を示すフローチャートである。
【図５】図１の無線通信システムの管理サーバにおける受信信号レベルの変化の検出結果の一覧の一例を示す図である。
【図６】図１の無線通信システムの作用を説明するための図である。
【図７】本発明の実施の形態に係る無線通信システムの管理サーバの一部の構成を示す機能ブロック図である。
【符号の説明】
【００８８】
１  無線通信システム
３  ネットワーク
５  パーティション
１００  管理サーバ
１０２  記憶装置
１０４  管理端末
１１０  信号受信部
１１２  受信データ分配部
１２０  アクセスポイントデータ処理部
１２２  アクセスポイントデータ分配部
１２４  アクセスポイント受信レベル処理部
１２６  アクセスポイント検出部
１３０  判定部
１３２  報知部
１７０  時計
１７２  条件別基準記憶部
１７４  選択部
１８０  処理制御部
２００  アクセスポイント
【図１】
2010028728.tif 000003
【図２】
2010028728.tif 000004
【図３】
2010028728.tif 000005
【図４】
2010028728.tif 000006
【図５】
2010028728.tif 000007
【図６】
2010028728.tif 000008
【図７】
2010028728.tif 000009